(57)【特許請求の範囲】
【請求項１】
遊技島に設置された遊技台の下方に遊技玉を回収する回収樋を設け、該回収樋に直交方向で、該回収樋より下方となるように段差状に配設した導入整列樋を設け、該導入整列樋の下流部に設けられた導入整列通路の終端部にパチンコ玉揚送装置へ遊技玉が流入する玉流入口が設けられ、前記導入整列樋の上方で前記回収樋より下段には、前記玉流入口とは逆方向に向けて傾斜させた導入傾斜板を設け、左右の回収樋から流下転動してくる遊技玉を、該導入傾斜板により導入整列樋の上流側に流下させ導入整列通路にて転動整列させて最下流の玉流入口へ導入案内して、該玉流入口から流入した遊技玉を研磨媒体にて研磨しながら上方に揚送するパチンコ玉揚送装置の玉導入樋機構において、
前記玉流入口に向けて遊技玉が流下する前記導入傾斜板と前記導入整列樋の中間部の中央上部より当該導入整列樋より離間させて垂下状態に振分け弾性部材を設け、
左右の回収樋から流下転動してくる遊技玉を該振分け弾性部材により落下を緩和させると共に離間された空域によって前記導入整列樋内に均等に振り分けることを特徴とするパチンコ玉揚送装置の玉導入樋機構。
【発明の詳細な説明】
【０００１】
【発明の属する技術分野】
本発明は、遊技島に設置された各遊技台から排出された遊技玉（アウト玉）及び景品玉計数機から排出された遊技玉（計数玉）等を回収樋にて回収し、回収した遊技玉を研磨媒体にて研磨しながら上方に揚送するパチンコ玉揚送装置であって、さらに詳しくは、回収樋内を勢い良く転動してくる遊技玉を導入整列樋に設けた振分け弾性部材にて流下速度を減速させた後、導入整列樋内に均等に振分けて導入させることが出来、該導入整列樋内において玉詰まりが発生した場合は、開閉自在の玉導入傾斜板を開放させて玉詰まりした部分の修復作業が容易に行うことが出来るパチンコ玉揚送装置の玉導入樋機構に関するものである。
【０００２】
【従来の技術】
従来、遊技島の略中央位置には各遊技台から排出された遊技玉（アウト玉）及び景品玉計数機から排出された遊技玉（計数玉）等を回収樋にて回収し、回収した遊技玉を研磨媒体にて研磨しながら上方に揚送するパチンコ玉揚送装置が設置されている。先に提案されているパチンコ玉揚送装置としては、例えば合成樹脂材等の研磨粒で遊技玉を撹拌混合し、研磨しながら上方に揚送するタイプのものと、揚送ベルトと布磨きベルトとの間で挟持しながら遊技玉を上方に揚送するタイプのものとがある。
【０００３】
上記したパチンコ玉揚送装置のうち、揚送ベルトと布磨きベルトとの間で挟持しながら遊技玉を上方に揚送するタイプのパチンコ玉揚送装置の玉導入樋機構は特殊の構造となっている。つまり、揚送ベルトと布磨きベルトとの間で挟持しながら遊技玉（例えば、一列状態８個）を上方に揚送することから玉導入樋機構においては一旦、一列状に整列させることが不可欠である。そのため、このタイプのパチンコ玉揚送装置の玉導入樋機構に関し工夫を施した構成としたものが、いくつか開示されている。
【０００４】
例えば、特開平６−２９６７４９号公報（以下、先行文献１という）においては、導入樋（玉導入樋機構）の玉受け部を回収樋の落下口の下方に挿入されるように構成し、また、特開平６−２５４２５０号公報（以下、先行文献２という）の導入樋（玉導入樋機構）では、回収樋の落下口の開口縁の形状を円弧状と成す等により設置面積を小さく成した構成とし、また、特開平７−１６３７４３号公報（以下、先行文献３という）の導入樋（玉導入樋機構）では、通路を形成した簀の子状の導入部によって遊技玉をスムーズに振分ける構成とし、また、特開平７−２３１９８０号公報（以下、先行文献４という）の誘導樋（玉導入樋機構）は、三つの部材を組み立てる構成として提案されている。さらに、回収樋を流下してきた遊技玉を、パチンコ玉揚送装置の玉流入口側に導く機構として回収樋に沿って摺動可能なＶ字形状の玉案内プレートを設ける構成としたものとして本出願人が先に実開昭６３−２６３８６号公報（以下、先行文献５という）にて開示されている。
【０００５】
【発明が解決しようとする課題】
しかしながら、上記した先行文献１から先行文献５においては、パチンコ玉揚送装置下部の玉導入樋の玉流入口までの流下距離は直線的に形成されている。したがって、閉店時等に多量の遊技玉が左右の回収樋内を転動流入してくると、パチンコ玉揚送装置下部の玉導入樋内の玉流入口付近に遊技玉が集中して滞留してしまう。その結果、この玉流入口付近において一列整列する際玉詰まりトラブルが発生する。この玉流入口付近からパチンコ玉揚送装置の下部内は特に狭い構造となっており、この玉詰まりトラブルが生じると、店員（アフター作業者）が玉流入口内に手を入れて修復作業するが、手が入りにくく、簡単には玉詰まりを解除出来ないという課題が指摘され、また、玉流入口内に遊技玉と一緒に入り込んだ異物（例えば、硬貨やネジ等）の解除にも時間と労力を要するという課題があった。さらに上記狭い箇所による修復作業のため手を怪我してしまう課題もあった。
【０００６】
また、本出願人が先に提案した先行文献５においては、左右の回収樋を流下してきた遊技玉をパチンコ玉揚送装置下部の玉流入口に導くよう傾斜したＶ字形の玉案内プレートを設けた構成としたもので、左右の回収樋から転動してきた遊技玉は傾斜したＶ字形の玉案内プレートの側面に沿って玉流入口内に導かれる。しかし、該Ｖ字形の玉案内プレートは左右の回収樋から転動してくる遊技玉が多量になると傾斜したＶ字形の側面で相互に衝突（反対方向にバウンド）してしまい、玉案内プレートの側面に沿って導くことが出来ず、この玉流入口付近で滞留してしまっていた。さらに、この玉案内プレートでは一列整列することが難しく、導入整列樋に連接した玉流入口は常に一列整列８個状態で揚送しなくては揚送能力が低下してしまい、一列整列のうち８個のうち略半分の５個程度で揚送状態が続くと布研磨ベルトが片側（略半分の５個ある側）に寄ってしまい，布研磨ベルト自体に横ズレ現象が発生してしまうといういう課題があった。この横ズレ現象が発生してしまうと布研磨ベルトを修復しなくてはならなかった。
【０００７】
本発明の目的は、パチンコ玉揚送装置の導入整列樋の玉流入口内に多量に流下転動してきても、遊技玉による玉詰まりを防止し、また、仮に玉詰まりが生じた場合でも簡単に玉詰まりを解除することが出来、玉流入口内部からパチンコ玉揚送装置本体内に均等に遊技玉を振分けることにより、布研磨ベルト自体の横ズレ現象をも防止することが出来るパチンコ玉揚送装置の玉導入樋機構を提供することにある。
【０００８】
【課題を解決するための手段】
上記、目的を達成するため請求項１記載のパチンコ玉揚送装置の玉導入樋機構は、遊技島に設置された遊技台の下方に遊技玉を回収する回収樋を設け、該回収樋に直交方向で、該回収樋より下方となるように段差状に配設した導入整列樋を設け、該導入整列樋の下流部に設けられた導入整列通路の終端部にパチンコ玉揚送装置へ遊技玉が流入する玉流入口が設けられ、前記導入整列樋の上方で前記回収樋より下段には、前記玉流入口とは逆方向に向けて傾斜させた導入傾斜板を設け、左右の回収樋から流下転動してくる遊技玉を、該導入傾斜板により導入整列樋の上流側に流下させ導入整列通路にて転動整列させて最下流の玉流入口へ導入案内して、該玉流入口から流入した遊技玉を研磨媒体にて研磨しながら上方に揚送するパチンコ玉揚送装置の玉導入樋機構において、前記玉流入口に向けて遊技玉が流下する前記導入傾斜板と前記導入整列樋の中間部の中央上部より当該導入整列樋より離間させて垂下状態に振分け弾性部材を設け、左右の回収樋から流下転動してくる遊技玉を該振分け弾性部材により落下を緩和させると共に離間された空域によって前記導入整列樋内に均等に振り分けるものである。
【００１１】
そのため、各遊技台から排出された遊技玉（アウト玉）及び景品玉計数機から排出された遊技玉（計数玉）が多量に回収樋内を勢い良く流下転動してきても、導入整列樋の上流端部側の中央上部に垂下状態に設けた振分け弾性部材により、流下速度を減速（吸収）させ、左側の回収樋を流下してきた遊技玉は導入整列通路の左側に、右側の回収樋を流下してきた遊技玉は導入整列樋通路の右側にそれぞれ略均等に振分けられ、導入整列樋に連接した玉流入口から一列整列となってパチンコ玉揚送装置本体内へ導かれていく。よって、遊技玉が導入整列通路で確実に一列整列と成り、導入整列通路に連接した玉流入口から常に一列整列した状態でパチンコ玉揚送装置本体内に供給され揚送することが出来る。その結果、揚送能力が増し、布研磨ベルトが片寄る横ズレ現象を防止することが出来る。さらに、回収樋から遊技玉は玉導入傾斜板上を転動した後、下方に設けた段差状の導入整列樋内に徐々に落ちていく。よって、導入整列樋に連接した玉流入口付近に遊技玉が集中することなく滞留せず、玉詰まりトラブルが発生することがない。仮に、導入整列樋に連接した玉流入口付近において玉詰まりが生じても、玉導入傾斜板が開閉自在に成しているため玉導入傾斜板を持ち上げて開放状態とし狭い箇所であっても簡単に玉詰まり部分を解消し、内部入り込んだ異物（例えば、硬貨やネジ等）の修復作業も容易に行うことが出来るのである。
【００１２】
【発明の実施の形態】
以下、本発明の実施例の形態を図面に基づいて詳述する。図１は、本発明に係るパチンコ玉揚送装置の玉導入樋機構の状態斜視図であり、図２は同正面図、図３は玉導入樋機構の拡大斜視図、図４は同拡大側面図である。
【００１３】
通常、パチンコ玉揚送装置１０は図２に示すように遊技台２（例えばパチンコ台）が多数並設された遊技島１の略中央に設置されている。遊技台２の下方には各遊技台２から排出された遊技玉Ｐ（アウト玉）及び島端に設置された景品玉計数機（図示せず）から排出された遊技玉Ｐ（計数玉）を回収する回収樋１１が設けられている。該回収樋１１は略コの字型の樋状に形成され、略中央のパチンコ玉揚送装置１０に向かって傾斜状に設けている。該回収樋１１内を流下転動してきた遊技玉Ｐは回収樋１１と垂直状に連接し、パチンコ玉揚送装置本体１０内部に向かって傾斜する導入整列樋１３及び導入整列通路１９から玉流入口１４を介して一列整列と成った遊技玉Ｐがパチンコ玉揚送装置本体１０本体内へ送り込まれ、研磨媒体によって磨きながら揚送されていく。尚、パチンコ玉揚送装置１０の構造については後述する。
【００１４】
前記回収樋１１の下流端部には下方一段下となる如く凹部の段差状と成し、垂直状に連接した導入整列樋１３が設けられていて、その下流側をパチンコ玉揚送装置１０下部の玉流入口１４に向かって傾斜状に連接している。該導入整列樋１３の傾斜角は、後述する玉導入傾斜板１７の傾斜角の方が緩やかに形成されているため、導入整列樋１３内にある遊技玉Ｐは、玉導入傾斜板１７上の遊技玉Ｐより、やや早く玉流入口１４へと流入するように成っている。したがって、遊技玉Ｐが玉流入口１４へと流入していく処理時間が早くなるため遊技玉Ｐは、従来のように玉流入口１４付近の一箇所に集中して滞留することが無く、玉詰まりが発生し難い構造に成っている。
【００１５】
また、傾斜している導入整列樋１３の玉流入口１４へと続く下流部付近には簀の子状に形成され、遊技玉Ｐ径よりやや広い間隔を有した略三角形状の導入整列通路１９が複数枚（一列整列８個）配設されている。遊技玉Ｐに混入した異物等はこの簀の子部分より外に落下する。該導入整列通路１９の上方には案内板２０が設けられていて、導入整列樋１３を流下してきた遊技玉Ｐが少量の時は導入整列通路１９によって順次一列整列された後、内部の玉流入口１４へと整列状態で流下していく。また、導入整列樋１３を流下してきた遊技玉Ｐの量が多い場合は、案内板２０によって上側の遊技玉が崩された後、導入整列通路１９によって一列整列した後内部の玉流入口１４へと整列状態で流下していく。
【００１６】
さらに、玉流入口１４側に向かって傾斜している導入整列樋１３の他方側（反対側）の上流端部１３ａの中央上部に垂下状態の振分け弾性部材１６が一箇所（一枚）に設けられている。該振分け弾性部材１６は上部が固着され、矩形状の例えば弾性ゴム材１６aから成したのれん状に形成されている。したがって、回収樋１１を流下転動してきた遊技玉Ｐは、該振分け弾性部材１６の弾性ゴム材１６aに衝突し、その際の衝撃が吸収されて導入整列樋内１３に緩やかに落下していく。該振分け弾性部材１６は衝撃を吸収することは勿論のこと、中央上部に設けられているため左右の回収樋１１から多量に流下転動してくる遊技玉Ｐを導入整列樋内１３に均等に振分ける役目もしている。よって、導入整列樋内１３の片側のみ集中することなく、常に一列整列した均等の状態で玉流入口１４に流入することが出来、パチンコ玉揚送装置１０本体内の布研磨ベルト自体の横ズレ現象をも防止することが出来るのである。尚、上記においては振分け弾性部材１６を弾性ゴム材としたが衝撃を吸収する部材であれば何でも良い。
【００１７】
上記した玉流入口１４の上方位置には一端側を固着し他端側を開閉自在と成した玉導入傾斜板１７が設けられている。該玉導入傾斜板１７は、矩形状に形成した先端側が下方傾斜し、他端が例えば蝶番１８によって開閉自在に設けられている。該玉導入傾斜板１７は通常閉時状態（図４実線の位置の時はストッパー部１７ａにてそれ以上傾斜しないように成っている）、トラブル時開時状態（図４点線の位置）となる。さらに該玉導入傾斜板１７の上面は弾性ゴム板が貼着され、回収樋１１を流下転動してきた遊技玉Ｐは玉導入傾斜板１７上から下方傾斜に沿って落下し、玉導入整列樋１３の上流端部１３ａ付近へと流下し、その際遊技玉Ｐは上記した振分け弾性部材１６とによって導入整列樋１３へと均等に振分けられる。該玉導入傾斜板１７を開閉自在としたことで、導入整列樋１３に連接した玉流入口１４付近において玉詰まりが生じても、玉導入傾斜板１７を持ち上げて開放状態とし狭い箇所であっても簡単に玉詰まり部分を解消し、内部入り込んだ異物（例えば、硬貨やネジ等）の修復作業も容易に行うことが出来る。尚、玉導入傾斜板１７は玉流入口１４の上方位置（揚送ベルト３側）側に一端側を固着し他端側を開閉自在としが、開閉する側が反対側であっても良い。
【００１８】
尚、前記した回収樋１１の下流端部のやや手前側は、図１のように略く字状に曲げられていて、該略く字状の箇所にて勢い良く回収樋１１内を流下してくる遊技玉Ｐの速度を落としてから導入整列樋１３内へと導き、下部の玉流入口１４にスムーズに流入案内するように成している。さらに、回収樋１１のく字部分の上流側手前には異物分離箱部１５が設けられ、穴あき底部１５ａの孔部１５ｂより遊技玉Ｐのみが落下し、異物分離箱部１５の穴あき底部１５ａ上には異物（硬貨やネジ等）が確実にここで捕捉されるように成っている。該異物分離箱部１５の上面１５ｃが開閉自在に形成されているため、上面１５ｃを開いて該異物を簡単に取り除くことが出来る。
【００１９】
次に、パチンコ玉揚送装置１０について説明する。図１に示すようにパチンコ玉揚送装置１０は、揚送ベルト３と布研磨ベルト５ａ（例えば、綿材）との間で挟持し研磨しながら上方に揚送する構成と成している。該揚送ベルト３は駆動プーリ３ａ及び従動プーリ３ｂ及びテンションプーリ４ａ、４ｂ、４ｃに巻回されている。通常、布研磨ベルト５ａは一本から成しているがこの実施例においては、該揚送ベルト３と対向する布研磨ベルト５ａは上下略同一の長さで二分割状態の下段の布研磨ベルト５ａと上段の布研磨ベルト５ｂとから成している。揚送ベルト３と布研磨ベルト５ａ、布研磨ベルト５ｂとの間隔は図４のように遊技玉１ヶの玉径よりやや小さい状態で挟持し、揚送ベルト３の回転により、順次遊技玉Ｐは上方に揚送し、上部排出口６より排出されるように成っている。
【００２０】
駆動プーリ３ａは、モータ７と駆動ベルト７ａを介して連接されたモータ７の回転により、図１の矢印Ａ方向に回転する。布研磨ベルト５ａ、布研磨ベルト５ｂはそれぞれスポンジ状のベース板に巻回されていて、該ベース板に遊技玉Ｐが転がっていくように、縦方向に複数の溝５ｃが並行に設けられている。遊技玉Ｐはこの溝５ｃに沿って下段の布研磨ベルト５ａ若しくは上段の布研磨ベルト５ｂで磨きながら上方に揚送されていく。また、布研磨ベルト５ａ、布研磨ベルト５ｂは、汚れに応じて定期的に取り替えるが取り替え作業する際は、図１のようにそれぞれ独立して開くように成している。尚、本実施例では、布研磨ベルトは二分割としたが、さらに短い等間隔の三分割等に構成しても良い。さらに、上述のスポンジ状のベース板の各溝５ｃのランダムの間隔位置をおいて小さな出没自在の凸突起（図示せず）を設け、転動しながら揚送される遊技玉Ｐの転動方向を変化させるようにしてもよい。したがって、遊技玉Ｐは揚送途中で凸突起に当接して転動部分の遊技玉の面が微妙にずれて、遊技玉Ｐ全体が満遍なく布にて研磨されることになる。
【００２１】
次に、本実施例のパチンコ玉揚送装置１０の揚送ベルト３のテンション機構３０の構成について説明する。図１又は図５のようにパチンコ玉揚送装置１０の本体の上方位置の遊技島１の幕板１ａ付近に揚送ベルト３のテンション機構３０が設けられている。パチンコ玉揚送装置１０の本体側面には、ベースプレート３１が固着されていて該ベースプレート３１と略コの字形の可動プレート３２がテンションプーリ４ａと共に軸３３にて回動自在に固着されている。可動プレート３２には、さらにテンションプーリ４ｂが回動自在に固着され、ベースプレート３１にはテンションプーリ４ｃが回動自在に固着されている。揚送ベルト３はテンションプーリ４ａの下からテンションプーリ４ｂの上に通され、さらにテンションプーリ４ｃの下側に挿通されている。また、可動プレート３２の両側のリブ３２ａの端部３２ｂとベースプレート３１の下部には付勢手段であるバネ３４が両側に固着されていて、該バネ３４によりテンションプーリ４ｂは矢印Ｂ方向に付勢され、その結果、揚送ベルト３にはテンションが常に加わるように成っている。
【００２２】
尚、本実施例における該テンション機構３０は上記したようにパチンコ玉揚送装置１０の上方位置に設けられ、従動プーリ３ｂ側により近いため、揚送ベルト３に十分なテンションが加わり、また上方位置（遊技島幕板１ａ付近）に設けたため、テンション機構の修復作業や部品交換等の作業がし易い位置と成っている。また、前記ベースプレート３１の下部側のＬ字片３１ａに固着したバネ３４は、該Ｌ字片３１ａに穿設した長穴のスライドによって調節が出来るようになっている。該Ｌ字片３１ａを緩めれば本体の組立時や揚送ベルト３交換作業時や揚送ベルト３が次第に弛んできた時、張力作業が簡単に調節出来るのである。
【００２３】
上記、実施例において、導入整列樋１３や玉流入口１４付近での玉詰まり対策を施したが、さらに万全の対策として玉詰まりを監視又は感知する工夫を施してもよい。特に、玉詰まりが生じやすい箇所である導入整列樋１３及び玉流入口１４付近に玉詰まりの発生有無を監視するため、該導入整列樋１３付近の端部に小型監視カメラ４０を内蔵し、小型監視カメラ４０の映像モニターをカウンター内に設置したモニターに映し出すようにして常時監視するようにしても良い。さらに、導入整列樋１３付近の下面付近に検知センサー４１を設け、長時間滞留している玉詰まりトラブルの検出や逆に玉流出口１４内へ流入していかないトラブル等を感知してカウンター内に報知するようにすれば、トラブル発生時の原因究明及び復帰を短時間で行え、早期解決することが出来る。
【００２４】
尚、本発明においては玉流入口の上方位置に開閉自在の玉導入傾斜板と玉導入傾斜板の他端側の略中央位置に振り分け弾性部材を揚送ベルトと布磨きベルトとの間で挟持しながら遊技玉を上方に揚送するパチンコ玉揚送装置にそれぞれ取り付けた説明としたが、他の合成樹脂材等の研磨粒で遊技玉を撹拌混合し、研磨しながら上方に揚送するパチンコ玉揚送装置の玉導入樋にも適用することが出来る。
【００２５】
【発明の効果】
以上の説明で明らかなように、本発明の請求項１記載のパチンコ玉揚送装置の玉導入樋機構によれば、各遊技台から排出された遊技玉（アウト玉）及び景品玉計数機から排出された遊技玉（計数玉）が多量に回収樋内を流下転動してきた遊技玉は玉導入傾斜板上を転動した後、下方に設けた段差状の導入整列樋内に徐々に落ちていく。よって、導入整列樋に連接した玉流入口付近に遊技玉が集中することなく滞留もせず、玉詰まりトラブルが発生することがない。仮に、導入整列樋に連接した玉流入口付近において玉詰まりが生じた場合、該玉導入傾斜板が開閉自在に成しているため玉導入傾斜板を持ち上げて開放状態にし狭い箇所であっても簡単に玉詰まり部分を解消し、内部入り込んだ異物（例えば、硬貨やネジ等）による玉詰まりの修復作業も容易に行うことが出来る効果を有している。
【００２６】
また、本発明の請求項２記載のパチンコ玉揚送装置の玉導入樋機構によれば、各遊技台から排出された遊技玉（アウト玉）及び景品玉計数機から排出された遊技玉（計数玉）が多量に回収樋内を勢い良く流下転動してきても、導入整列樋の上流端部側の中央上部に設けた振分け弾性部材により、流下速度を減速（吸収）させ、左側の回収樋を流下してきた遊技玉は導入整列通路の左側に、右側の回収樋を流下してきた遊技玉は導入整列樋通路の右側にそれぞれ略均等に振分けられ、導入整列樋に連接した玉流入口から一列整列となってパチンコ玉揚送装置本体内へ導かれていく。よって、遊技玉が導入整列通路で確実に一列整列と成り、導入整列通路に連接した玉流入口から常に一列整列した状態でパチンコ玉揚送差内本体内に供給し揚送することが出来る。その結果、揚送能力が増し、布研磨ベルトが片寄る横ズレ現象を防止することが出来る。さらに、回収樋から遊技玉は玉導入傾斜板上を転動した後、下方に設けた段差状の導入整列樋内に徐々に落ちていく。よって、導入整列樋に連接した玉流入口付近に遊技玉が集中することなく滞留せず、玉詰まりトラブルが発生することがない。仮に、導入整列樋に連接した玉流入口付近において玉詰まりが生じても、玉導入傾斜板が開閉自在に成しているため玉導入傾斜板を持ち上げて開放状態とし狭い箇所であっても簡単に玉詰まり部分を解消し、内部入り込んだ異物（例えば、硬貨やネジ等）の修復作業も容易に行うことが出来る効果も有している。
【図面の簡単な説明】
【図１】本発明に係るパチンコ玉揚送装置の玉導入樋機構の状態斜視図である。
【図２】本発明に係るパチンコ玉揚送装置の玉導入樋機構の正面図である。
【図３】本発明の玉導入樋機構部分を示す拡大斜視図である。
【図４】本発明の玉導入樋機構部分を示すの拡大側面図である。
【図５】本発明のパチンコ玉揚送装置におけるテンション機構を示す拡大斜視図である。
【符号の説明】
１０  パチンコ玉揚送装置
１１  回収樋
１３  導入整列樋
１４  玉流入口
１６  振分け弾性部材
１７  玉導入傾斜板
１９  導入整列通路
【図１】
0004376985.tif 000002
【図２】
0004376985.tif 000003
【図３】
0004376985.tif 000004
【図４】
0004376985.tif 000005
【図５】
0004376985.tif 000006